(57)【要約】【課題】切替機構や駆動アクチュエータの大型化を抑えることのできる、３種の異なる仕様の対物レンズ部を有する光学素子を得て、少なくとも３種の異なる規格の光ディスクの記録又は再生を行うことのできる小型の光ピックアップ装置を得る。【解決手段】第１対物レンズ部、第２対物レンズ部及び第３対物レンズ部を有し、第１対物レンズ部の光軸と、第２対物レンズ部の光軸と、第３対物レンズ部の光軸とを結ぶ線が三角形となるように、第１対物レンズ部、第２対物レンズ部及び第３対物レンズ部が一体的に形成されている光学素子とする。【選択図】図２
2008152817.tif 000002
【特許請求の範囲】
【請求項１】
第１対物レンズ部、第２対物レンズ部及び第３対物レンズ部を有し、
光源からの光束を、前記第１対物レンズ部を介して第１光情報記録媒体の情報記録面に集光させることにより、第１光情報記録媒体への情報の記録と再生の少なくとも一方が可能であり、
前記第２対物レンズ部を介して第２光情報記録媒体の情報記録面に集光させることにより、第２光情報記録媒体への情報の記録と再生の少なくとも一方が可能であり、
前記第３対物レンズ部を介して第３光情報記録媒体の情報記録面に集光させることにより、第３光情報記録媒体への情報の記録と再生の少なくとも一方が可能であり、
前記第１対物レンズ部、第２対物レンズ部及び第３対物レンズ部を光軸方向から見た際に、前記第１対物レンズ部の光軸と、前記第２対物レンズ部の光軸と、前記第３対物レンズ部の光軸とを結ぶ線が三角形となるように、前記第１対物レンズ部、第２対物レンズ部及び第３対物レンズ部が一体的に形成されていることを特徴とする光学素子。
【請求項２】
前記第１対物レンズ部の光軸と、前記第２対物レンズ部の光軸と、前記第３対物レンズ部の光軸とを結ぶ三角形は、前記第１対物レンズ部の光軸と前記第２対物レンズ部の光軸を結ぶ線が底辺となる二等辺三角形となっていることを特徴とする請求項１に記載の光学素子。
【請求項３】
請求項１又は２に記載の光学素子と、波長λ１の第１光束を出射する第１光源と、波長λ２（λ２＞λ１）の第２光束を出射する第２光源と、を有し、
前記第１光束が前記第１対物レンズ部を介して保護基板の厚さがｔ１である第１光情報記録媒体の情報記録面に集光され、
前記第１光束が前記第２対物レンズ部を介して保護基板の厚さがｔ２（ｔ２＞ｔ１）である第２光情報記録媒体の情報記録面に集光され、
前記第２光束が前記第３対物レンズ部を介して保護基板の厚さがｔ３（ｔ３≧ｔ２）である第３光情報記録媒体の情報記録面に集光されることを特徴とする光ピックアップ装置。
【請求項４】
請求項１又は２に記載の光学素子と、波長λ１の第１光束を出射する第１光源と、波長λ２（λ２＞λ１）の第２光束を出射する第２光源と、波長λ３（λ３＞λ２）の第３光束を出射する第３光源と、を有し、
前記第１光束が前記第１対物レンズ部を介して保護基板の厚さがｔ１である第１光情報記録媒体の情報記録面に集光され、
前記第２光束が前記第２対物レンズ部を介して保護基板の厚さがｔ２（ｔ２＞ｔ１）である第２光情報記録媒体の情報記録面に集光され、
前記第３光束が前記第３対物レンズ部を介して保護基板の厚さがｔ３（ｔ３＞ｔ２）である第３光情報記録媒体の情報記録面に集光されることを特徴とする光ピックアップ装置。
【請求項５】
請求項１又は２に記載の光学素子と、波長λ１の第１光束を出射する第１光源と、波長λ２（λ２＞λ１）の第２光束を出射する第２光源と、波長λ３（λ３＞λ２）の第３光束を出射する第３光源と、を有し、
前記第１光束が前記第１対物レンズ部を介して保護基板の厚さがｔ１である第１光情報記録媒体の情報記録面に集光され、
前記第１光束が前記第２対物レンズ部を介して保護基板の厚さがｔ２（ｔ２＞ｔ１）である第２光情報記録媒体の情報記録面に集光され、
前記第２光束が前記第３対物レンズ部を介して保護基板の厚さがｔ３（ｔ３≧ｔ２）である第３光情報記録媒体の情報記録面に集光され、
前記第３光束が前記第３対物レンズ部を介して保護基板の厚さがｔ４（ｔ４＞ｔ３）である第４光情報記録媒体の情報記録面に集光され、
前記第３対物レンズ部は、前記第３光情報記録媒体の保護基板の厚さと前記第４光情報記録媒体の保護基板の厚さの差に起因して発生する球面収差を、前記第２光束と前記第３光束の波長の差を利用して低減させる回折構造を有することを特徴とする光ピックアップ装置。
【請求項６】
請求項２に記載の光学素子を有し、前記第１対物レンズ部の光軸と前記第２対物レンズ部の光軸を結ぶ線の中線が光情報記録媒体の半径方向となるよう配置されていることを特徴とする光ピックアップ装置。
【発明の詳細な説明】
【技術分野】
【０００１】
本発明は、複数種の光情報記録媒体の記録と再生の少なくとも一方を、同一装置で可能とする光ピックアップ装置及び該光ピックアップ装置に用いられる光学素子に関するものである。
【背景技術】
【０００２】
従来より、光ディスクとしてＣＤ（コンパクトディスク）及びＤＶＤ（デジタルバーサタイルディスク）は広く普及している。
【０００３】
また、近年では波長４００〜４２０ｎｍの青紫色のレーザ光源を用い、ＤＶＤと同じ開口数（ＮＡ）の対物レンズを使用して、直径１２ｃｍの光ディスクに対して片面単層で１５〜２０ＧＢの情報の記録を可能とするＨＤ  ＤＶＤ（以下、ＨＤと称す）や、対物レンズのＮＡを０．８５にまで高めて、直径１２ｃｍの光ディスクに対して、最大２７ＧＢの情報の記録を可能としたＢｌｕ−ｒａｙ  Ｄｉｓｃ（以下、ＢＤと称す）が市販されるようになっている。
【０００４】
一方、光ピックアップ装置に対しては、これら規格の異なる複数種の光ディスクを１台の光ピックアップ装置で記録又は再生を行いたいという要望がある。このような要望に対応する対物光学系として、対物光学系の一部に回折構造等を形成し、異なる規格の光ディスクに対し兼用で用いて対応しようとするものと、それぞれの光ディスク規格に対応した対物レンズを複数備えておき、装填された光ディスクに応じて用いる対物レンズを切り替えるものが知られている。
【０００５】
後者の、光ディスク規格にそれぞれ対応した対物レンズを複数備えたものとして、光軸を平行に配置した２種の異なる仕様の対物レンズ部を一体に成形したものが知られている（例えば、特許文献１参照）。
【０００６】
更に、より多くの光ディスク規格に対応するために、３個、４個の対物レンズをピックアップのホルダに搭載したものが知られている（例えば、特許文献２参照）。
【特許文献１】特開平９−１１５１７０号公報
【特許文献２】特開２００６−３０９９１１号公報
【発明の開示】
【発明が解決しようとする課題】
【０００７】
上記のように、光ディスク規格にそれぞれ対応した対物レンズを複数種備えて、３種又は４種の光ディスクに対応させようとする場合、３種以上の異なる仕様の対物レンズ部を備える必要がある。
【０００８】
この場合、上記特許文献１のように３種の異なる仕様の対物レンズ部を一直線に配置すると両端に配置された対物レンズ部の光軸間距離が大きくなり、切替機構の大型化や駆動アクチュエータの大型化を招く問題がある。
【０００９】
また、上記特許文献２のような構成をとることが考えられるが、ピックアップのホルダに複数のレンズを搭載すると、それらをいくら精度良く組み合わせたとしても、誤差の発生が不可避である。今後主流を占めていく高精度の光ディスク規格は、傾きによるコマ収差の発生に対して特に敏感であるので、ホルダに搭載された時点で３つ以上のレンズが互いに誤差を持っていては、事実上使用できないという問題がある。
【００１０】
本発明は上記問題に鑑み、切替機構や駆動アクチュエータの大型化を抑えることのできる、３種の異なる仕様の対物レンズ部を有する光学素子を得て、少なくとも３種の異なる規格の光ディスクの記録又は再生を行うことのできる小型の光ピックアップ装置を得ることを目的とするものである。
【課題を解決するための手段】
【００１１】
上記の目的は、下記に記載する発明により達成される。
【００１２】
１．第１対物レンズ部、第２対物レンズ部及び第３対物レンズ部を有し、光源からの光束を、前記第１対物レンズ部を介して第１光情報記録媒体の情報記録面に集光させることにより、第１光情報記録媒体への情報の記録と再生の少なくとも一方が可能であり、前記第２対物レンズ部を介して第２光情報記録媒体の情報記録面に集光させることにより、第２光情報記録媒体への情報の記録と再生の少なくとも一方が可能であり、前記第３対物レンズ部を介して第３光情報記録媒体の情報記録面に集光させることにより、第３光情報記録媒体への情報の記録と再生の少なくとも一方が可能であり、前記第１対物レンズ部、第２対物レンズ部及び第３対物レンズ部を光軸方向から見た際に、前記第１対物レンズ部の光軸と、前記第２対物レンズ部の光軸と、前記第３対物レンズ部の光軸とを結ぶ線が三角形となるように、前記第１対物レンズ部、第２対物レンズ部及び第３対物レンズ部が一体的に形成されていることを特徴とする光学素子。
【００１３】
２．前記第１対物レンズ部の光軸と、前記第２対物レンズ部の光軸と、前記第３対物レンズ部の光軸とを結ぶ三角形は、前記第１対物レンズ部の光軸と前記第２対物レンズ部の光軸を結ぶ線が底辺となる二等辺三角形となっていることを特徴とする１に記載の光学素子。
【００１４】
３．１又は２に記載の光学素子と、波長λ１の第１光束を出射する第１光源と、波長λ２（λ２＞λ１）の第２光束を出射する第２光源と、を有し、前記第１光束が前記第１対物レンズ部を介して保護基板の厚さがｔ１である第１光情報記録媒体の情報記録面に集光され、前記第１光束が前記第２対物レンズ部を介して保護基板の厚さがｔ２（ｔ２＞ｔ１）である第２光情報記録媒体の情報記録面に集光され、前記第２光束が前記第３対物レンズ部を介して保護基板の厚さがｔ３（ｔ３≧ｔ２）である第３光情報記録媒体の情報記録面に集光されることを特徴とする光ピックアップ装置。
【００１５】
４．１又は２に記載の光学素子と、波長λ１の第１光束を出射する第１光源と、波長λ２（λ２＞λ１）の第２光束を出射する第２光源と、波長λ３（λ３＞λ２）の第３光束を出射する第３光源と、を有し、前記第１光束が前記第１対物レンズ部を介して保護基板の厚さがｔ１である第１光情報記録媒体の情報記録面に集光され、前記第２光束が前記第２対物レンズ部を介して保護基板の厚さがｔ２（ｔ２＞ｔ１）である第２光情報記録媒体の情報記録面に集光され、前記第３光束が前記第３対物レンズ部を介して保護基板の厚さがｔ３（ｔ３＞ｔ２）である第３光情報記録媒体の情報記録面に集光されることを特徴とする光ピックアップ装置。
【００１６】
５．１又は２に記載の光学素子と、波長λ１の第１光束を出射する第１光源と、波長λ２（λ２＞λ１）の第２光束を出射する第２光源と、波長λ３（λ３＞λ２）の第３光束を出射する第３光源と、を有し、前記第１光束が前記第１対物レンズ部を介して保護基板の厚さがｔ１である第１光情報記録媒体の情報記録面に集光され、前記第１光束が前記第２対物レンズ部を介して保護基板の厚さがｔ２（ｔ２＞ｔ１）である第２光情報記録媒体の情報記録面に集光され、前記第２光束が前記第３対物レンズ部を介して保護基板の厚さがｔ３（ｔ３≧ｔ２）である第３光情報記録媒体の情報記録面に集光され、前記第３光束が前記第３対物レンズ部を介して保護基板の厚さがｔ４（ｔ４＞ｔ３）である第４光情報記録媒体の情報記録面に集光され、前記第３対物レンズ部は、前記第３光情報記録媒体の保護基板の厚さと前記第４光情報記録媒体の保護基板の厚さの差に起因して発生する球面収差を、前記第２光束と前記第３光束の波長の差を利用して低減させる回折構造を有することを特徴とする光ピックアップ装置。
【００１７】
６．２に記載の光学素子を有し、前記第１対物レンズ部の光軸と前記第２対物レンズ部の光軸を結ぶ線の中線が光情報記録媒体の半径方向となるよう配置されていることを特徴とする光ピックアップ装置。
【発明の効果】
【００１８】
本発明によれば、切替機構や駆動アクチュエータの大型化を抑え、３種の異なる仕様の対物レンズ部を有する光学素子を得ることが可能となり、少なくとも３種の異なる規格の光ディスクの記録又は再生を行うことのできる小型の光ピックアップ装置を得ることが可能となる。
【発明を実施するための最良の形態】
【００１９】
以下、実施の形態により本発明を詳しく説明するが、本発明はこれに限定されるものではない。
【００２０】
図１は、本実施の形態に係る光学素子１０を備えた光ピックアップ装置１００の一例を示す斜視図である。同図は、ワイヤにより支持されたホルダに、光学素子１０が組み付けられたものの例を示している。
【００２１】
同図に示すように、光ピックアップ装置１００は、光学系ユニット３０、反射部材４０、光学素子１０が組み付けられたホルダ２０で構成されている。なお、不図示であるが光ディスクは光学素子１０の上方に位置している。
【００２２】
光学系ユニット３０は、光学素子１０にレーザ光を出射する複数のレーザ光源と光ディスクから戻ってきた光を受光する複数の受光部と、これらの光路を構成する光学部材で構成されている。反射部材４０は、光学系ユニット３０から出射された光束を光学素子１０に入射させると共に、該光束の光ディスクからの反射光を光学系ユニット３０に導くものである。
【００２３】
ホルダ２０は支持部材２７から延びる４本の可撓性のワイヤ２６により支持され、ワイヤ２６をサスペンションとして光軸方向（フォーカシング方向）及び光軸直交方向（トラッキング方向）の所定範囲の移動が可能となっている。また、不図示であるが、ホルダ２０には、フォーカス駆動用コイル、トラッキング駆動用コイル、マグネット、外ヨーク、内ヨークによる磁気回路が構成されている。これらフォーカス駆動用コイル、トラッキング駆動用コイルに給電することにより、ホルダ２０を光学素子１０の光軸方向（フォーカシング方向）及び光軸直交方向（トラッキング方向）に揺動可能となっている。また、これらのコイルには、ワイヤ２６を介して電源が供給されるようになっている。
【００２４】
更に、不図示であるが、光学系ユニット３０、反射部材４０、ホルダ２０を一体的に光ディスクの半径方向に移動させる移動機構が設けられている。
【００２５】
図２は、本実施の形態に係る光学素子１０の構成を示す斜視図である。
【００２６】
同図（ａ）に示すように、本実施の形態に係る光学素子１０は、それぞれ所定の結像性能を有した、Ｏ11を光軸とする第１対物レンズ部１１、Ｏ12を光軸とする第２対物レンズ部１２及びＯ13を光軸とする第３対物レンズ部１３がフランジ部１４を介して一体に形成されている。同図（ａ）に示すような光学素子１０は、樹脂材料を用いた射出成形やガラスモールド等により製作することができる。
【００２７】
同図（ｂ）は、本実施の形態に係る光学素子１０のその他の構成例である。同図（ｂ）に示す光学素子１０は、第１対物レンズ部１１及び第３対物レンズ部１３をフランジ部１４を介して一体に形成したものに、別途単体で形成された第２対物レンズ部１２を組み付けるようにしたものである。この場合には、例えば第１対物レンズ部１１、第２対物レンズ部１３及びフランジ部１４を樹脂の射出成形で形成し、第２対物レンズ部１２をガラスモールド又は樹脂の射出成形で形成することもできる。なお、別途単体で形成する対物レンズ部が、第２対物レンズ部１２の例を示したが、これに限るものでなく、第１対物レンズ部１１又は第３対物レンズ部１３であってもよい。
【００２８】
即ち、本例でいう第１対物レンズ部、第２対物レンズ部及び第３対物レンズ部が一体的に形成された光学素子とは、第１対物レンズ部１１、第２対物レンズ部１２及び第３対物レンズ部１３の全てが癒合している場合だけでなく、第１対物レンズ部１１、第２対物レンズ部１２及び第３対物レンズ部１３を別々に形成し、後に嵌合させることなどにより一体化した場合も含むものである。
【００２９】
このように、３つ設けられている光学素子のうち、少なくとも２つを、フランジと一体で構成することにより、２つの光学素子の誤差、更にピックアップのホルダに搭載された際の誤差を最小限にとどめることができる。そして成形精度を要求されるレンズ（本例では第２対物レンズ部１２）を別に製造し、これをフランジ部１４に形成された開口に嵌合、固着することにより、発生不可避な誤差を最小限にとどめることも可能になる。また、このような構成にした場合、コマ収差の向きをそろえ易くなるという利点もある。
【００３０】
図３は、本実施の形態に係る光学素子１０の正面図である。
【００３１】
同図に示すように、本実施の形態に係る光学素子１０は第１対物レンズ部１１の光軸Ｏ11と、第２対物レンズ部１２の光軸Ｏ12と、第３対物レンズ部１３の光軸Ｏ13の３点を結ぶ線（図示、一点鎖線）が三角形となるように、第１対物レンズ部１１、第２対物レンズ部１２及び第３対物レンズ部１３が一体的に形成されている。
【００３２】
更に、第３対物レンズ部１３の光軸Ｏ13は、光軸Ｏ11と光軸Ｏ12を結ぶ線の垂直２等分線Ａ上に位置するように配置されている。即ち、第１対物レンズ部１１の光軸Ｏ11と、第２対物レンズ部１２の光軸Ｏ12と、第３対物レンズ部１３の光軸Ｏ13とを結ぶ三角形は、第１対物レンズ部１１の光軸Ｏ11と第２対物レンズ部１２の光軸Ｏ12を結ぶ線を底辺とする二等辺三角形となっている。
【００３３】
また、この垂直２等分線Ａの延長線上に光ディスクの回転中心が配置されている。即ち、光ディスクの半径方向（ラジアル方向）と垂直２等分線Ａが略一致するように配置され、第１対物レンズ部１１の光軸Ｏ11と第２対物レンズ部１２のＯ12は、光ディスクのタンジェンシャル方向となるように配置されている。
【００３４】
以下に、反射部材４０について詳しく説明する。
【００３５】
図４は、光学素子１０側から見た反射部材４０の平面図である。
【００３６】
同図に示すように反射部材４０は光学素子１０側から見て、Ｔ字状に形成されている。
【００３７】
同図に示す矢印Ｂ、Ｄ、Ｃは、図１に示す光学系ユニット３０から出射される光束である。光束Ｂは反射部材４０の所定の反射面で反射されて第１対物レンズ部１１に入射し紙面表側でスポットに集光される。光束Ｄは反射部材４０の所定の反射面で反射されて第３対物レンズ部１３に入射し紙面表側でスポットに集光される。光束Ｃは反射部材４０の所定の反射面で反射されて第２対物レンズ部１２に入射し紙面表側でスポットに集光される。
【００３８】
図５は、反射部材４０の一例を示す図である。同図（ａ）は反射部材４０の斜視図であり、同図（ｂ）は反射部材４０を側面から見た図である。本実施の形態のプリズムは、第１対物レンズ部又は第２対物レンズ部に入射する光束を反射させて光束の方向を変え、第３対物レンズ部に入射する光束は透過させる波長選択反射面と、第３対物レンズ部に入射する光束を反射して光束の方向を変える反射面とを有するタイプのプリズムである。
【００３９】
同図に示すように反射部材４０は、略４５°の斜面が形成された棒状のプリズム４０ａと、プリズム４０ａに接合され、略４５°の斜面が形成されたプリズム４０ｂで構成されている。
【００４０】
（１）図５における光束Ｂが波長４０５ｎｍ、光束Ｃが波長６５５ｎｍ、光束Ｄが波長７８５ｎｍの場合について説明する。
【００４１】
同図（ａ）に示す反射部材４０のプリズム４０ａの略４５°の斜面の光束Ｂに対応する部位に、例えば波長４０５ｎｍの光は反射し、波長６５５ｎｍ及び波長７８５ｎｍの光は透過するような反射膜Ｒ１を形成する。これにより、波長４０５ｎｍの光のみを第１対物レンズ部１１に導くことができる。
【００４２】
また、反射部材４０のプリズム４０ａの略４５°の斜面の光束Ｃに対応する部位に、波長６５５ｎｍの光は反射し、波長４０５ｎｍ及び波長７８５ｎｍの光は透過するような反射膜Ｒ２を形成する。これにより、波長６５５ｎｍの光のみを第２対物レンズ部１２に導くことができる。
【００４３】
光束Ｄは上記の反射膜Ｒ１、Ｒ２に反射されることなく透過し、プリズム４０ｂの略４５°の斜面に形成された反射膜Ｒ３により反射され、第３対物レンズ部１３に導かれる。この反射膜Ｒ３は通常の波長選択性の無い反射面で良いが、波長７８５ｎｍの光を反射するような反射膜を形成したものであってもよい。また、反射膜を形成せず斜面で全反射するように構成してもよい。
【００４４】
表１は、上記（１）の場合の光学素子の第１〜第３対物レンズ部のそれぞれのＮＡ値、使用波長、対応する光情報記録媒体である光ディスクの保護基板厚を表にしたものである。
【００４５】
【表１】
2008152817.tif 000003
【００４６】
表１の組み合わせによれば、第１対物レンズ部がＢＤ、第２対物レンズ部がＤＶＤ、第３対物レンズ部がＣＤにそれぞれ対応する。
【００４７】
（２）図５における光束Ｂが波長４０５ｎｍ、光束Ｃが波長４０５ｎｍ、光束Ｄが波長６５５ｎｍの場合について説明する。
【００４８】
同図（ａ）に示す反射部材４０のプリズム４０ａの略４５°の斜面の光束Ｂに対応する部位に、例えば波長４０５ｎｍの光は反射し、波長６５５ｎｍの光は透過するような反射膜Ｒ１を形成する。これにより、波長４０５ｎｍの光のみを第１対物レンズ部１１に導くことができる。
【００４９】
また、反射部材４０のプリズム４０ａの略４５°の斜面の光束Ｃに対応する部位にも、同様に波長４０５ｎｍの光は反射し、波長６５５ｎｍの光は透過するような反射膜Ｒ２を形成する。これにより、波長４０５ｎｍの光のみを第２対物レンズ部１２に導くことができる。
【００５０】
光束Ｄは上記の反射膜Ｒ１、Ｒ２に反射されることなく透過し、プリズム４０ｂの略４５°の斜面に形成された反射膜Ｒ３により反射され、第３対物レンズ部１３に導かれる。この反射膜Ｒ３は通常の波長選択性の無い反射膜で良いが、波長６５５ｎｍの光を反射するような反射膜を形成したものであってもよい。また、反射膜を形成せず斜面で全反射するように構成してもよい。
【００５１】
表２は、上記（２）の場合の光学素子の第１〜第３対物レンズ部のそれぞれのＮＡ値、使用波長、対応する光情報記録媒体である光ディスクの保護基板厚を表にしたものである。
【００５２】
【表２】
2008152817.tif 000004
【００５３】
表２の組み合わせによれば、第１対物レンズ部がＢＤ、第２対物レンズ部がＨＤ、第３対物レンズ部がＤＶＤにそれぞれ対応する。
【００５４】
（３）図５における光束Ｂが波長４０５ｎｍ、光束Ｃが波長４０５ｎｍ、光束Ｄが波長７８５ｎｍの場合について説明する。
【００５５】
同図（ａ）に示す反射部材４０のプリズム４０ａの略４５°の斜面の光束Ｂに対応する部位に、例えば波長４０５ｎｍの光は反射し、波長７８５ｎｍの光は透過するような反射膜Ｒ１を形成する。これにより、波長４０５ｎｍの光のみを第１対物レンズ部１１に導くことができる。
【００５６】
また、反射部材４０のプリズム４０ａの略４５°の斜面の光束Ｃに対応する部位にも、同様に波長４０５ｎｍの光は反射し、波長７８５ｎｍの光は透過するような反射膜Ｒ２を形成する。これにより、波長４０５ｎｍの光のみを第２対物レンズ部１２に導くことができる。
【００５７】
光束Ｄは上記の反射膜Ｒ１、Ｒ２に反射されることなく透過し、プリズム４０ｂの略４５°の斜面に形成された反射膜Ｒ３により反射され、第３対物レンズ部１３に導かれる。この反射膜Ｒ３は通常の波長選択性の無い反射膜で良いが、波長７８５ｎｍの光を反射するような反射膜を形成したものであってもよい。また、反射膜を形成せず斜面で全反射するように構成してもよい。
【００５８】
表３は、上記（３）の場合の光学素子の第１〜第３対物レンズ部のそれぞれのＮＡ値、使用波長、対応する光情報記録媒体である光ディスクの保護基板厚を表にしたものである。
【００５９】
【表３】
2008152817.tif 000005
【００６０】
表３の組み合わせによれば、第１対物レンズ部がＢＤ、第２対物レンズ部がＨＤ、第３対物レンズ部がＣＤにそれぞれ対応する。
【００６１】
（４）図５における光束Ｂが波長４０５ｎｍ、光束Ｃが波長４０５ｎｍ、光束Ｄが波長６５５ｎｍと７８５ｎｍに切り替わる場合について説明する。
【００６２】
同図（ａ）に示す反射部材４０のプリズム４０ａの略４５°の斜面の光束Ｂに対応する部位に、例えば波長４０５ｎｍの光は反射し、波長６５５ｎｍ及び７８５ｎｍの光は透過するような反射膜Ｒ１を形成する。これにより、波長４０５ｎｍの光のみを第１対物レンズ部１１に導くことができる。
【００６３】
また、反射部材４０のプリズム４０ａの略４５°の斜面の光束Ｃに対応する部位にも、同様に波長４０５ｎｍの光は反射し、波長６５５ｎｍ及び７８５ｎｍの光は透過するような反射膜Ｒ２を形成する。これにより、波長４０５ｎｍの光のみを第２対物レンズ部１２に導くことができる。
【００６４】
光束Ｄは上記の反射膜Ｒ１、Ｒ２に反射されることなく透過し、プリズム４０ｂの略４５°の斜面に形成された反射膜Ｒ３により反射され、第３対物レンズ部１３に導かれる。この反射膜Ｒ３は通常の波長選択性の無い反射膜で良いが、波長６５５ｎｍ及び７８５ｎｍの光を反射するような反射膜を形成したものであってもよい。また、反射膜を形成せず斜面で全反射するように構成してもよい。
【００６５】
更に、第３対物レンズ部は、ＤＶＤの保護基板の厚さとＣＤの保護基板の厚さの差に起因して発生する球面収差を、波長６５５ｎｍと波長７８５ｎｍの差を利用して低減させる回折構造を有するよう形成されている。
【００６６】
表４は、上記（４）の場合の光学素子の第１〜第３対物レンズ部のそれぞれのＮＡ値、使用波長、対応する光情報記録媒体である光ディスクの保護基板厚を表にしたものである。
【００６７】
【表４】
2008152817.tif 000006
【００６８】
表４の組み合わせによれば、第１対物レンズ部がＢＤ、第２対物レンズ部がＨＤ、第３対物レンズ部がＤＶＤ及びＣＤにそれぞれ対応する。
【００６９】
なお、上述の反射膜は例えば誘電体多層膜等により形成することで所望の波長選択性及び半値幅の反射膜を得ることができる。また、それぞれの光束の波長は典型的な例としてあげたものであり、反射膜を所望の半値幅で設計することにより、それぞれの波長は数１０ｎｍ程度異なっていてもよい。
【００７０】
以上説明したように、第１対物レンズ部の光軸と、第２対物レンズ部の光軸と、第３対物レンズ部の光軸とを結ぶ線が三角形となるように、第１対物レンズ部、第２対物レンズ部及び第３対物レンズ部が一体的に形成されている光学素子とすることにより、３種の記録媒体に対応した光ピックアップ装置の小型化、特に図５にＬで示す幅方向の小型化を達成することができるようになる。
【００７１】
図６は、反射部材４０のその他の例を示す図である。同図（ａ）は反射部材４０の斜視図であり、同図（ｂ）は反射部材４０を側面から見た図である。本実施形態のプリズムは、第１対物レンズ部又は第２対物レンズ部に入射する２つの光束が通る光路と、これら２つの光束を反射して光束の方向を変える反射面が形成されたブロックと、第３対物レンズ部に入射する光束が通る光路と、この光束を反射して光束の方向を変える反射面を有したブロックと、を有するタイプのプリズムである。別の言い方をすると、第１対物レンズ部に入射する第１の光束と、第２対物レンズ部に入射する第２の光束を反射して光束の方向を変える反射面と、第３対物レンズ部に入射する第３の光束を反射して光束の方向を変える反射面とを有し、第３の光束の入射光軸が、第１の光束の入射光軸と第２の光束の入射光軸を含む面内に無いタイプのプリズムである。
【００７２】
同図に示す反射部材４０は、略４５°の斜面が形成された棒状のプリズム４０ａと、プリズム４０ａに接合され、略４５°の斜面が形成されたＬ字状のプリズム４０ｂで構成されている。
【００７３】
同図に示す形状の反射部材４０の場合には、それぞれ略４５°の斜面に形成される反射膜は通常の波長選択性の無い反射膜でよい。また、反射膜を形成せず斜面で全反射するように構成してもよい。
【００７４】
なお、図５及び図６において、反射部材４０をプリズムで構成した例で説明したが、同様の特性を有する板状のミラーを配置したものであってもよいのは勿論である。
【図面の簡単な説明】
【００７５】
【図１】本実施の形態に係る光学素子を備えた光ピックアップ装置の一例を示す斜視図である。
【図２】本実施の形態に係る光学素子の構成を示す斜視図である。
【図３】本実施の形態に係る光学素子の正面図である。
【図４】光学素子側から見た反射部材の平面図である。
【図５】反射部材の一例を示す図である。
【図６】反射部材のその他の例を示す図である。
【符号の説明】
【００７６】
１０  光学素子
１１  第１対物レンズ部
１２  第２対物レンズ部
１３  第３対物レンズ部
１４  フランジ部
２０  ホルダ
３０  光学系ユニット
４０  反射部材
１００  光ピックアップ装置
【図１】
2008152817.tif 000007
【図２】
2008152817.tif 000008
【図３】
2008152817.tif 000009
【図４】
2008152817.tif 000010
【図５】
2008152817.tif 000011
【図６】
2008152817.tif 000012